(57)【要約】【課題】  ステープルは鉄線を伸線加工により規格寸法に仕上げて、これを多線化で収束し、圧延加工し、メッキ処理、接着、乾燥等の多くの工程を経てステープルを完成させる為、設備が大型になり、高度な技術を要した。【解決手段】  金属平板を剪断加工により細線化する方法で、剪断加工、平面復元し接着テープで接着、乾燥後、耳切りして、平面ステープルの連続帯を完成する、別方法の接着剤塗付、乾燥、切断、曲げ加工により門形にプレス成形し、門形ステープルを完成させる事が出来る等の長所が有る。【選択図】図１０
2007098427.tif 000002
【特許請求の範囲】
【請求項１】
金属平板１をステープルの線幅と展開長の面積分を順送による連続剪断して、櫛目剪断範囲４と切り残し部５との形成加工する、しかるのち、前記、加工体を平面復元加工し、該櫛目剪断範囲４の中央部表面に接着テープ６を接着する次に切り残し部５を排除し、各々独立した平面ステープルの連結体の中央部を接着テープ６を介して連結して成る事を特徴とするステープルの製造方法。
【請求項２】
櫛目剪断範囲４を平面復元加工し接着剤にて接着、乾燥後、規定本数の単位で短冊形に区切り、これを切断、曲げ加工し、門形に成形した事を特徴とする請求項１に記載のステープルの製造方法。
【発明の詳細な説明】
【技術分野】
【０００１】
本発明は書類綴りから建築及び家具の広範囲に適用する、ステープルの製造方法に関する。
【背景技術】
【０００２】
従来の方法は線材をダイスによる伸線加工をして、メッキ処理して１本の規格線としてドラムに長巻きして完成する。このドラムを線材収束本数分準備し設置する。紡織機のタテ糸機構の様式で帯状に繰り出して線材を並列状態にして圧延機で圧延する、接着、乾燥し、定寸切断し、シート状帯体にして、それをプレス機で門形にプレス成形し完成する方法で生産されている。
【特許文献１】特開平８−１５９１２３
【発明の開示】
【発明が解決しようとする課題】
【０００３】
しかしながら大量生産には優れているが、多線方式の為、大型設備と広いスペースの確保と、更に伸線、圧延、メッキ工程等の高度な技術力が必要で、大形設備投資が必要である。故にユーザーが多くの規格を要望され、これに応え様とすると、規格変更する時点で、工程変え作業に多くの時間を要すので生産に時間を掛けなければならない。等々課題が多い、上記の課題を解決する事を目的とする。
【課題を解決するための手段】
【０００４】
この発明は上記目的を達成する為に提案するものである。設備スペースを小さく出来る事と投資額を少なく出来る等、金属平板を細線化する製造方法を提供するものである。
【０００５】
そして本発明では金属平板１をステープルの線幅と展開長の面積分を順送による連続剪断して、櫛目剪断範囲４と切り残し部５との形成加工する、しかるのち、前記、加工体を平面復元加工し、該櫛目剪断範囲４の中央部表面に接着テープ６を接着する次に切り残し部５を排除し、各々独立した平面ステープルの連結体の中央部を接着テープ６を介して連結して成る事を特徴とする
【０００６】
また、次の課題解決手段は、櫛目剪断範囲４を平面復元加工し接着剤にて接着、乾燥後、５０本又は１００本の規定本数の単位で短冊形に区切り、これを切断、曲げ加工し、門形に成形した事を特徴とする。
【０００７】
この発明は金属平板１を細線化する方法で、剪断装置の構成は、上刃は下向きの山形刃２でステープル展開長分の寸法で一定間隔の横に並列形成され、一方、下刃は平刃３で直線状に設置されている。そして加工時には金属平板１を剪断刃２、３に対して直角に供給するとステープル線幅を順送して櫛目状に連続剪断する。該上刃２は金属平板１に対して切り残し部５を残して降下停止する様に降下ストロークが制御設定されている。ステップ１は金属平板１を順送供給すると上刃２の山形が降下し剪断後は谷形４に変化する、  該上刃２は金属平板１対して山形と山形の間隔に切り残し部４が形成され山の頂上として横並びに波形に成形される＝図３。ステップ２は櫛目状の連続剪断された谷形を平面に復元する＝図４。ステップ３は櫛目状に剪断された櫛目剪断範囲４の中央部に接着テープ６を接着する。ステップ４は耳切り工程で、切り残し部５（不完全切断部）を排除する、ステップ５は、接着テープ６で接着で連結した後、櫛目剪断範囲４の両端部が切り離されて接着部以外は、櫛刃状にバラバラの連結帯となる。ステップ６は連結帯をループ状に巻き込んで、ロール巻き平面ステープル＝図１０。の完成である。
【０００８】
また、次の課題解決手段は、平面の櫛目剪断範囲４に接着剤を塗付し、乾燥後、５０本又は１００本の規定本数の単位で短冊形に区切り、これを切断、曲げの同時加工で、門形に成形する、門形ステープル＝図７の完成である。
【発明の効果】
【０００９】
本発明は前述のように構成されている。先ず金属平板を細線化する製造方法の為、従来の設備技術に比べて構造が単純である。故に設備及び生産のコストが安価である。ステープルの線幅の規格変更が容易に可能の為、製品の規格拡大（バリエーション）が豊富になる。又は、ステープルの線幅を広くすると、ステープルの表面に企業名やブランドを表示する事が出来、宣伝効果に優れている＝図１２。金属平板１は厚いものから薄いものまで製造範囲が広く、従って仕様範囲も広く対応できる。また、伸線加工に難度のあるアルミ材のステープルも容易に製造できる。又は、家具の製造時にアルミステープルを使用する場合、木材接着の保持用として仮止め用にアルミステープルをタッキングすると、接着乾燥後家具の寸法切りの時にステープルごと切断可能である。鉄のステープル使用の場合は乾燥後にステープルを除去するので除去の手間が省ける。
平面ステープル図１０の使用方法は工業用として、門形成形装置を内装したステープラ又はエアータッカーに使用する、平面ステープルをステープラのマガジンに装填すると、一度に多本数の装填が可能で連続使用出来る利便性がある。
【発明を実施するための最良の形態】
【００１０】
この発明を実施する為に図１１に示す、ステープルの製造工程を対比し、差異をフローチャートで示す。左側のフローは従来の線素材導入で、右側は平板１を導入するためのフローである。先ず、左側の線素材導入のフローを述べる、素線を数十のダイスを経て寸法ダウンさせる、伸線加工により規格寸法線材を作る＝ステップ１。次にメッキ処理加工＝ステップ２。この仕上がった線材をドラムに長巻する＝ステップ３。これを数十個乃至、数百個用意し平行に繰り出して収束機にて並列に収束する＝ステップ４。並列状態で収束機を通過して線材圧延機へ送られる＝ステップ５。線材圧延機を通過した線材は接着工程へ送られる＝ステップ６。接着工程を経て平帯状に成り。乾燥工程へ進み＝ステップ７。そして切断機へ導入される＝ステップ８。切断されたシート状の線材は。プレス機により門形にプレス成形される＝ステップ９。図７に示すステープルが完成する。次に、金属平板導入フローは金属平板１を細線化剪断する剪断工程＝ステップ１＝図２。押圧して平面復元する、平面復元工程＝ステップ２＝図４。接着剤による接着工程＝ステップ３。乾燥工程＝ステップ４。次に５０本又は１００本の単位で区分する短冊形に剪断する工程＝ステップ５＝図５。これをプレス機にて切断、曲げの同時型の加工工程＝ステップ６＝図６。で門形ステープルを完成する＝図７。
図１１の左右工程を対比すると、線素材導入のステップ４から同期している。故に、伸線、収束工程が不要である。従ってここまでの設備が不要になる。
【００１１】
もう１つの別仕様の平面ステープル＝図１０。の製造工程を示すステップ１とステップ２は前記工程と同じで、平面復元工程で押圧して平面に形成された状態にステップ３は接着テープ６にて櫛目剪断範囲４の中央部を接着する、次工程はステップ４の耳切りで、切り残し部５（不完全切断部）を完全に除去して接着テープ６で連結したステープルの端部がバラバラに切り離された櫛刃状の連結体のステープルが完成する。次工程に連結体のステープルをループ状に巻き込んだロール巻平面ステープル、図１０の完成である。      
【図面の簡単な説明】
【００１２】
【図１】剪断装置の構成を示す。
【図２】金属平板を剪断した状態を示す正面図。
【図３】金属平板を剪断した状態で逆山形に変化し複数の波形が並列に並んだ斜視図を示す。
【図４】金属平板を剪断した状態を平面復元した斜視図を示す。
【図５】金属平板の剪断した状態を平面復元し５０本又は１００本の単位（Ａ）で区切られ短冊形にカットされた斜視図を示す。
【図６】プレス型で切断、曲げの同時型の構造を示す。
【図７】門形ステープルの斜視図を示す。
【図８】金属平板を剪断した状態を平面復元し接着テープ６にて櫛目状剪断範囲４の中央部を接着した斜視図を示す。
【図９】耳切りで、切り残し部５（不完全切断部）を完全に除去して接着テープ６で連結したステープルの端部がバラバラに切り離された櫛刃状の平面ステープルの斜視図を示す。
【図１０】連結体のステープルのループ状に巻き込んでロール巻平面ステープルの斜視図を示す。
【図１１】金属平板投入から完成までの工程表を示す。
【図１２】門形ステープルの上面に刻印又は印刷を表示した斜視図を示す。
【図１３】門形成形装置を内装したステープラ又はエアータッカーに使用する平面ステープルのマガジンに装填した構造略図を示す。
【符号の説明】
【００１３】
１  金属平板
２  上刃（山形刃）
３  平刃
４  櫛目剪断範囲
５  切り残し部
６  接着テープ
７  刻印又は印刷表示
【図１】
2007098427.tif 000003
【図２】
2007098427.tif 000004
【図３】
2007098427.tif 000005
【図４】
2007098427.tif 000006
【図５】
2007098427.tif 000007
【図６】
2007098427.tif 000008
【図７】
2007098427.tif 000009
【図８】
2007098427.tif 000010
【図９】
2007098427.tif 000011
【図１０】
2007098427.tif 000012
【図１１】
2007098427.tif 000013
【図１２】
2007098427.tif 000014
【図１３】
2007098427.tif 000015